【事件の表示】
　特願２００１−３６９７３０号「キャリーケース」拒絶査定不服審判事件〔平成１５年　６月１０日出願公開、特開２００３−１６４３１４号〕について、次のとおり審決する。
【結　論】
　本件審判の請求は、成り立たない。
【理　由】
１．手続の経緯
　本願は、平成１３年１２月４日の出願であって、平成１８年１月１９日付けで拒絶査定がなされ、これに対して、同年２月２３日に拒絶査定不服審判の請求がなされたものであって、本願の請求項１に係る発明（以下、「本願発明」という）は、平成１７年１０月３１日付けの手続補正書により補正された明細書の特許請求の範囲の請求項１に記載された事項により特定される以下のとおりのものである。
「布材からなり、全体略直方体に形成されて支持枠に固定され、マチ部の幅方向に沿って展開しうると共に折り畳み可能に形成されたキャリーケース本体と、キャリーケース本体下部の幅方向両側端部に夫々設けられ、上記支持枠に回転可能に固定されたキャスターとを備えたキャリーケースであって、
上記キャリーケース本体の下面部において着脱可能に固定され、装着時には上記マチ部の幅方向の反対側に配置される一対の脚体と、この脚体を相互に連結する固定板と、上記脚体に設けられ、上記支持枠へ係合しうる差込片を有する横桟部と、上記キャリーケース本体を固定してキャリーケース本体の展開状態を維持しうる固定部とを備えた脚部を有し、上記キャリーケース本体の内方の底部には、収納物を支持しうると共に上記キャリーケース本体の展開状態を維持しうる中底がマチ部の幅方向端部において回動可能に固定され、
キャリーケース本体内部に収納物を収納して使用する場合には、上記差込片を上記支持枠に固定すると共に、上記キャリーケース本体をマチ部の幅方向において伸張させ、上記固定部により脚部に固定して収納部を形成し、
キャリーケース本体内部に収納物を収納しない場合には、上記差込片と支持枠との係合を解除すると共に上記固定部によるキャリーケース本体との固定を解除することによりキャリーケース本体から取り外し、上記キャリーケース本体をマチ部の幅方向に沿って折り畳むことを特徴とするキャリーケース。」
　
２．引用例の記載事項
(2-1)原査定の拒絶の理由に引用された実公昭４８−２１８０４号公報（以下、「引用例１」という）には、次の事項が記載されている。
(a)公報第１頁第２欄第８から３３行
「次に本考案を図面について説明すれば、１は略門型に形成したフレーム本体で、２がこれに取付けられたバツグである。このバツグ２は取付耳３と帯４とによつてフレーム本体１側に取付けられているのであるが、これ等を外すことによりバツグ２自体を単独で持ち運ぶことも可能である。５は把手枠でその両端はフレーム本体１側に摺動自在に嵌装され、締付ネジ６によつてその摺動長さを自由に調節できるよう工夫されている。７はスライドキヤツプ、８はバツグの蓋部である。
　また各図に於いて９はフレーム本体１の下端を略Ｌ字型に屈曲して形成した取付管部であつて、第３図に示す如くｌ分の長さを有し、その下側には取付片１１を介して車輪１０が取付けられている。１２は略コ字状に形成した荷付台で、買物品等を収容したバツグ２の底面はこの上に載置される。そしてこの荷付台１２はその両端を上記フレーム本体ｌの取付管部９，９内に嵌装自在であつて、折畳時には第１図の如くこれを自由に外すことができる。１３は該荷付台１２の前部下側に設けた支え脚で第３図の如くｌ’の長さを備え、本シヨツピングカーの直立状態を維持するためのものである。この支え脚１３の長さｌ’は前述した取付管部９の長さｌと等しく、この点は上記取付管部９をフレーム本体１と一体形成した点と同様に本考案の重要な要点である。」
　
(b)公報第２頁第３欄第１から５行
「本考案は以上の如くであるから、第２図に示す如く荷受台１２の先端をフレーム本体１の取付管部９側に嵌入して組立てることにより、シヨツピングカーとして使用に供することができるのであるが」
　
(c)第１図および第２図には、「側部の幅方向に沿って折り畳み可能に形成されたバツグ２と、バッグ２下部の幅方向両側端部に夫々設けられ、フレーム本体１に取付られた車輪１０とを備えたシヨツピングカーであって、バツグ２下部においてフレーム本体１の取付管部９に嵌装自在に取付られ、嵌入時には側部の幅方向の反対側に配置される支え脚１３を有する前部を備えた荷付台１２を有する」ことの図示がある。
　
　上記(a)ないし(c)の記載事項および図示内容より、引用例１には、
「フレーム本体１に取付られ、側部の幅方向に沿って折り畳み可能に形成されたバツグ２と、バッグ２下部の幅方向両側端部に夫々設けられ、フレーム本体１に取付られた車輪１０とを備えたシヨツピングカーであって、
バツグ２下部において嵌装自在に取付られ、嵌入時には側部の幅方向の反対側に配置される支え脚１３を有する前部を備えた荷付台１２を有し、
使用に供する時には、荷付台１２の両端をフレーム本体１の取付管部９に嵌入し、バツグ２下部は荷付台１２の上に載置され、
折畳時には、荷付台１２の両端をフレーム本体１の取付管部９から外し、バツグ２を側部の幅方向に沿って折り畳む、シヨツピングカー。」の発明が開示されている。
　
(2-2)同実願昭４８−５０７７号（実開昭４９−１０６７１２号）のマイクロフィルム（以下、「引用例２」という）には、次の事項が記載されている。
(d)実用新案登録請求の範囲
「図面に示す通り、本体１の底に取りはずしの出来る板４にキヤスター３を取りつけマジツクテープで止めた折りたたみ式、キヤスター取り付け板付きシヨツピングバツグである。」
　
(e)明細書第２頁第２から４行
「必要に応じて本体１の底の部分とキヤスター３をとりつけた板４をマジツクテープ２で止めればらくに使用出来る。」
　
　上記(d)、(e)の記載事項より、引用例２には、
「折りたたみ式のシヨツピングバツグを固定するマジツクテープ２を備えたキヤスター取り付け板４」が開示されている。
　
３．対比・判断
　本願発明と引用例１記載の発明とを対比する。
○引用例１記載の発明の「フレーム本体１」、「バツグ２」、「側部」、「バツグ２下部」、「車輪」、「シヨツピングカー」、「嵌装自在」、「嵌入時」、「荷受台１２」、「使用に供する時」、「フレーム本体１の取付管部９に嵌入」、「折畳時」、「取付」は、
　本願発明の「支持枠」、「キャリーケース本体」、「マチ部」、「キャリーケース本体の下面部」及び「キャリーケース本体下部」、「キャスター」、「キャリーケース」、「着脱可能」、「装着時」、「脚部」、「キャリーケース本体内部に収納物を収納して使用する場合」、「支持枠に固定」、「キャリーケース本体内部に収納物を収納しない場合」、「固定」にそれぞれ相当する。
　
○引用例１記載の発明の「マチ部（側部）の幅方向に沿って折り畳み可能に形成されたキャリーケース本体（バツグ２）」および「キャリーケース本体下部（バツグ２下部）は脚部（荷付台１２）の上に載置され」は、キャリーケース本体が折り畳み可能であるとともに展開も可能であることを示すものであることから、「マチ部の幅方向に沿って展開しうると共に折り畳み可能に形成されたキャリーケース本体」を包含しており、これは、本願発明の「マチ部の幅方向に沿って展開しうると共に折り畳み可能に形成されたキャリーケース本体」に相当する。
　
○上述したように、引用例１記載の発明は、「マチ部（側部）の幅方向に沿って展開されるキャリーケース本体（バツグ２）」に相当する構成を有するものであって、当然、展開されるのは使用時であることから、引用例１記載の発明は、「キャリーケース本体内部に収納物を収納して使用する場合（使用に供する時）には、キャリーケース本体をマチ部の幅方向に沿って展開させ」るを包含しており、これは、本願発明の「キャリーケース本体内部に収納物を収納して使用する場合には、」「キャリーケース本体をマチ部の幅方向において伸長させ」に相当する。
　
○引用例１記載の発明の荷付台１２の両端は、支持枠（フレーム本体１の取付管部９）に固定（嵌入）される構成であることから、該両端は、「支持枠へ固定しうる固定部分を有するもの」であるということができ、これは、本願発明の「支持枠へ係合しうる差込片を有する横桟部」に相当する。
　
○上述したように、引用例１記載の発明は、「支持枠へ係合しうる横桟部の差込片」に相当する構成を有するものであって、当然、使用時に支持枠に固定されるとともに折畳時に支持枠から外されるものは横桟部の差込片であることから、引用例１記載の発明の「キャリーケース本体内部に収納物を収納して使用する場合（使用に供する時）には、横桟部の差込片（荷付台１２の両端）を支持枠（フレーム本体１の取付管部９）に固定（嵌入）し」および「キャリーケース本体内部に収納物を収納しない場合（折畳時）には、横桟部の差込片（荷付台１２の両端）を支持枠（フレーム本体１の取付管部９）から外し」は、「キャリーケース本体内部に収納物を収納して使用する場合には、差込片を支持枠に固定する」および「キャリーケース本体内部に収納物を収納しない場合には、差込片と支持枠との係合を解除する」ことであるということができ、これは、本願発明の「キャリーケース本体内部に収納物を収納して使用する場合には、差込片を支持枠に固定する」および「キャリーケース本体内部に収納物を収納しない場合には、差込片と支持枠との係合を解除する」に相当する。
　
○引用例１記載の発明の「支持枠（フレーム本体１）に固定された（取付られた）キャスター（車輪１０）」は、キャスターである以上、回転可能に固定されるのは当然のことであることから、「支持枠に回転可能に固定されたキャスター」であるということができ、これは、本願発明の「支持枠に回転可能に固定されたキャスター」に相当する。
　
○引用例１記載の発明において、キャリーケース本体内部に収納物を収納して使用する場合（使用に供する時）に、収納部が形成されるのは当然のことであることから、引用例１記載の発明は、「キャリーケース本体内部に収納物を収納して使用する場合には、収納部を形成し」を包含しており、これは、本願発明の「キャリーケース本体内部に収納物を収納して使用する場合には、」「収納部を形成し」に相当する。
　
○引用例１記載の発明の「支え脚１３を有する前部」と、本願発明の「一対の脚体と、この脚体を相互に連結する固定板と」は、脚部の「前部」という点で共通する。
　
　上記より、両者は、
「支持枠に固定され、マチ部の幅方向に沿って展開しうると共に折り畳み可能に形成されたキャリーケース本体と、キャリーケース本体下部の幅方向両側端部に夫々設けられ、上記支持枠に回転可能に固定されたキャスターとを備えたキャリーケースであって、
上記キャリーケース本体の下面部において着脱可能に固定され、装着時には上記マチ部の幅方向の反対側に配置される前部と、上記支持枠へ係合しうる差込片を有する横桟部とを備えた脚部を有し、
キャリーケース本体内部に収納物を収納して使用する場合には、上記差込片を上記支持枠に固定すると共に、上記キャリーケース本体をマチ部の幅方向において伸張させて収納部を形成し、
キャリーケース本体内部に収納物を収納しない場合には、上記差込片と支持枠との係合を解除し、上記キャリーケース本体をマチ部の幅方向に沿って折り畳む、キャリーケース。」という点で一致し、以下の点で相違している。
　
◇相違点１
　本願発明では、「布材からなり、全体略直方体に形成され」るキャリーケース本体であるのに対して、
　引用例１記載の発明では、キャリーケース本体の材質や形状が明らかでない点。
　
◇相違点２
　本願発明では、「一対の脚体と、この脚体を相互に連結する固定板と」からなる脚部の前部であり、「横桟部」が脚体に設けられているのに対して、
　引用例１記載の発明では、そのような構成となっていない点。
　
◇相違点３
　本願発明では、「キャリーケース本体を固定してキャリーケース本体の展開状態を維持しうる固定部」を備えた脚部であって、キャリーケース本体内部に収納物を収納して使用する場合には、「キャリーケース本体を固定部により脚部に固定し」、キャリーケース本体内部に収納物を収納しない場合には、「固定部によるキャリーケース本体との固定を解除する」のに対して、
　引用例１記載の発明では、そのような固定部を備えていない点。
　
◇相違点４
　本願発明では、「キャリーケース本体の内方の底部には、収納物を支持しうると共にキャリーケース本体の展開状態を維持しうる中底がマチ部の幅方向端部において回動可能に固定され」るキャリーケース本体であるのに対して、
　引用例１記載の発明では、キャリーケース本体がそのような中底を備えてない点。
　
　上記各相違点について検討する。
◆相違点１について
　一般に、「布材からなり、全体略直方体に形成され」るキャリーケース本体は、本願出願前周知の事項（例えば、特開昭５１−６９８５１号公報、特開昭６３−３８０７９号公報参照）であることから、引用例１記載の発明におけるキャリーケース本体に、これを適用することで、「布材からなり、全体略直方体に形成され」るものにすることに格別の困難性があるとはいえない。
　したがって、上記相違点１に係る本願発明の発明特定事項とすることは、当業者であれば容易になし得る程度のことである。
　
◆相違点２について
　一般に、「一対の脚体と、この脚体を相互に連結する部材と」からなる脚部の前部は、本願出願前周知の事項（実願昭５０−１４６８４号（実開昭５１−９７９５９号）のマイクロフィルム参照）であることから、引用例１記載の発明における脚部の前部に、これを適用することで、「一対の脚体と、この脚体を相互に連結する部材と」からなるものにすることに格別の困難性があるとはいえない。
　この際、、脚部の前部を「一対の脚体と、この脚体を相互に連結する部材」とすることにより、「横桟部」が脚体に設けられることになることは自明なことである。
　また、連結する部材は、脚部の一部としてキャリーケース本体を載せて固定（支持）するものであることから、固定部材であるということができ、さらに、この固定部材を固定板にするかどうかは、当業者が適宜決定する設計事項である。
　したがって、上記相違点２に係る本願発明の発明特定事項とすることは、当業者であれば容易になし得る程度のことである。
　
◆相違点３について
　上記２．(2-2)で示したように、引用例２には、折りたたみ式のキャリーケース本体（シヨツピングバツグ）を固定する固定部（マジツクテープ２）を備えた脚部（キヤスター取り付け板４）が開示されていることから、引用例１記載の発明における脚部に、これを適用することで、「キャリーケース本体を固定する固定部」を備えた脚部にすることに格別の困難性があるとはいえない。
　この際、使用時には固定部による固定を行い、使用しない時には固定部による固定を解除する、つまり、キャリーケース本体内部に収納物を収納して使用する場合（展開状態を維持する場合）には、「キャリーケース本体を固定部により脚部に固定し」、キャリーケース本体内部に収納物を収納しない場合には、「固定部によるキャリーケース本体との固定を解除する」ことは当然のことである。
　したがって、上記相違点３に係る本願発明の発明特定事項とすることは、当業者であれば容易になし得る程度のことである。
　
◆相違点４について
　一般に、バッグにおいて、バッグの内方の底部に、収納物を支持しうると共にバッグの展開状態を維持しうる中底を置くことは、先行技術文献を示すまでもなく、本願出願前周知の事項であり、また、バッグの底部に、収納物を支持しうると共にバッグの展開状態を維持しうる底がマチ部の幅方向端部において回動可能に固定されることも、本願出願前周知の事項（例えば、特開２０００−３２５１２５号公報、特開平７−２０５８１６号公報参照）であることから、引用例１記載の発明におけるキャリーケース本体（バッグ）に、これを適用することで、「キャリーケース本体の内方の底部には、収納物を支持しうると共にキャリーケース本体の展開状態を維持しうる中底がマチ部の幅方向端部において回動可能に固定され」るようにすることに格別の困難性があるとはいえない。
　したがって、上記相違点４に係る本願発明の発明特定事項とすることは、当業者であれば容易になし得る程度のことである。
　
　そして、本願発明の効果も、引用例１、２記載の発明および本願出願前周知の事項より当業者であれば十分に予測し得る程度のことである。
　
　よって、本願発明は、引用例１、２記載の発明および本願出願前周知の事項に基いて、当業者が容易に発明をすることができたものであるので、特許法第２９条第２項の規定により特許を受けることができない。
　
４．むすび
　以上のとおり、本願発明は、引用例１、２記載の発明および本願出願前周知の事項に基いて当業者が容易に発明をすることができたものであるので、特許法第２９条第２項の規定により特許を受けることができない。
　それゆえ、本願は、拒絶すべきものである。
　よって、結論のとおり審決する。